(57)【要約】【課題】もっとも手軽にノート型パソコン、マザーボード、ＤＶＤプレイヤーやゲーム機等の製品の放熱性を高め、使いやすい物を提供する。【解決手段】放熱器やヒートシンクの働きを持つアルミ等の金属、ゴム又はプラスチック等の物体１に、熱伝導シート、ゲルシートやシリコーン等の粘着物２と放熱フット脚３が付いた本発明品を、ノート型パソコン、マザーボードケース、ＤＶＤプレイヤーやゲーム機等の裏に通常ある脚を取り外して設置するか、又はその脚の付近に設置することを特徴としている。【選択図】          図１
2004335987.tif 000002
【特許請求の範囲】
【請求項１】
放熱器やヒートシンクの働きを持つアルミ等の金属、ゴム又はプラスチック等の物体（１）に、熱伝導シート、ゲルシートやシリコーン等の粘着物（２）と放熱フット脚（３）が付いた本発明品を、ノート型パソコン、マザーボードケース、ＤＶＤプレイヤーやゲーム機等の裏に通常ある脚を取り外して設置するか、又はその脚の付近に設置することを特徴とする放熱フット。
【請求項２】
放熱器やヒートシンクの働きを持つアルミ等の金属、ゴム又はプラスチック等の物体（１）に、放熱フットを装着又は取り外し可能にするロック機能と放熱フット脚（３）が付いた本発明品を、ノート型パソコン、マザーボードケース、ＤＶＤプレイヤーやゲーム機等の裏に通常ある脚を取り外して設置するか、又はその脚の付近に設置することを特徴とする放熱フット。
【請求項３】
請求項１又は請求項２の放熱フットをノート型パソコン、マザーボードケース、ＤＶＤプレイヤーやゲーム機等の裏に通常ある脚を取り外して設置するか、又はその脚の付近に設置する為だけではなく、ノート型パソコン、マザーボードケース、ＤＶＤプレイヤーやゲーム機等の熱が溜まっている部分に設置することを特徴とする放熱フット。さらに、請求項１又は請求項２の放熱フットに抗菌加工や更なる放熱性やショック吸収等の加工施すことを特徴とする放熱フット。
【発明の詳細な説明】
【０００１】
【発明の属する技術分野】
本発明は、手軽にノート型パソコン、マザーボード、ＤＶＤプレイヤーやゲーム機等の製品の放熱性を高め、使いやすい放熱フットに関する。
【０００２】
【従来の技術】
従来、ノート型パソコン、マザーボードケース、ＤＶＤプレイヤーやゲーム機等の裏に通常ある脚を取り外して設置するか、又はその脚の付近に設置することにより、脚の代わりになり、放熱性を高め、さらに、裏の空気の流れを良くする軽くて便利な物体は、存在しなかった。
【０００３】
【発明が解決しようとする課題】
従来、ノート型パソコン、マザーボード、ＤＶＤプレイヤーやゲーム機等は、熱が溜まりやすく、発熱で誤作動する可能性があり、長時間使用することをためらう場合があった。
【０００４】
本発明は、手軽にノート型パソコン、マザーボードケース、ＤＶＤプレイヤーやゲーム機等の裏に通常ある脚を取り外して設置するか、又はその脚の付近に設置することにより、脚の代わりになり、放熱性を高め、裏の空気の流れを良くして、発熱による誤作動を軽減し、長時間の使用を可能にすることを目的としている。また、ノート型パソコン、マザーボードケース、ＤＶＤプレイヤーやゲーム機等の裏に通常ある脚が無い製品や脚が低い製品で、裏に熱が溜まりやすくても、手軽に本発明品を設置することにより、放熱性を高め、裏の空気の流れを良くして、発熱による誤作動を軽減し、長時間の使用を可能にすることを目的としている。
【０００５】
【課題を解決するための手段】
上記目的を達成するために、請求項１の本発明放熱フットにおいては、放熱器やヒートシンクの働きを持つアルミ等の金属、ゴム又はプラスチック等の物体１に、熱伝導シート、ゲルシートやシリコーン等の粘着物２と放熱フット脚３が付いた本発明品を、ノート型パソコン、マザーボードケース、ＤＶＤプレイヤーやゲーム機等の裏に通常ある脚を取り外して設置するか、又はその脚の付近に設置することを特徴とする構造である。
【０００６】
また、上記目的を達成するために、請求項２の本発明放熱フットにおいては、放熱器やヒートシンクの働きを持つアルミ等の金属、ゴム又はプラスチック等の物体１に、放熱フットを装着又は取り外し可能にするロック機能と放熱フット脚３が付いた本発明品を、ノート型パソコン、マザーボードケース、ＤＶＤプレイヤーやゲーム機等の裏に通常ある脚を取り外して設置するか、又はその脚の付近に設置することを特徴とする構造である。
【０００７】
そして、上記目的を達成するために、請求項３の本発明放熱フットにおいては、請求項１又は請求項２の放熱フットをノート型パソコン、マザーボードケース、ＤＶＤプレイヤーやゲーム機等の裏に通常ある脚を取り外して設置するか、又はその脚の付近に設置する為だけではなく、ノート型パソコン、マザーボードケース、ＤＶＤプレイヤーやゲーム機等の熱が溜まっている部分に設置することを特徴とする構造である。
【０００８】
【発明の実施の形態】
発明の実施の形態を実施例にもとづき図面を参照して説明する。
【０００９】
図１において、放熱器やヒートシンクの働きを持つアルミ等の金属、ゴム又はプラスチック等の物体１と、熱伝導シート、ゲルシートやシリコーン等の粘着物２と、放熱フット脚３によって構成されていることを説明している。
【００１０】
図２に示される実施例では、放熱フットをノート型パソコンに取り付けた状態を表している。
【００１１】
図３に示される実施例では、請求項３の放熱フットをノート型パソコンに取り付けた状態を表している。
【００１２】
【発明の効果】
本発明は、以上説明したように構成されているので、以下に記載されるような効果を奏する。
【００１３】
ノート型パソコン、マザーボードケース、ＤＶＤプレイヤーやゲーム機等の製品の発熱に対する放熱性を高めたい場合、手軽にノート型パソコン、マザーボードケース、ＤＶＤプレイヤーやゲーム機等の裏に通常ある脚を取り外して設置するか、又はその脚の付近に設置することが出来て、脚の代わりになり、放熱性を高め、裏の空気の流れが良くなる。また、ノート型パソコン、マザーボードケース、ＤＶＤプレイヤーやゲーム機等の裏に通常ある脚が無い製品や脚が低い製品で、裏に熱が溜まりやすくても、手軽に本発明品を設置することが出来、放熱性を高めて裏の空気の流れが良くなる。
【００１４】
請求項３に対しての本発明は、ノート型パソコン、マザーボードケース、ＤＶＤプレイヤーやゲーム機等の製品の発熱に対する放熱性を高めたい場合、請求項１又は請求項２の放熱フットをノート型パソコン、マザーボードケース、ＤＶＤプレイヤーやゲーム機等の裏に通常ある脚を取り外して設置するか、又はその脚の付近に設置する為だけではなく、ノート型パソコン、マザーボードケース、ＤＶＤプレイヤーやゲーム機等の熱が溜まっている部分に設置することができるので、脚の代わりにならなくても、手軽に必要な数の放熱フットを設置することが出来、放熱性を高められる。
【図面の簡単な説明】
【図１】放熱フットの実施例を示す斜視図（ａ）と断面図（ｂ）である。
【図２】放熱フットをノート型パソコンの裏に取り付けた状態を表している実施例を示す斜視図である。
【図３】請求項３の放熱フットをノート型パソコンに取り付けた状態を表している実施例を示す斜視図である。
【符号の説明】
１  放熱器やヒートシンクの働きを持つアルミ等の金属、ゴム又はプラスチック等の物体
２  熱伝導シート、ゲルシートやシリコーン等の粘着物
３  放熱フット脚
４  ノート型パソコン
５  放熱フット
６  ノート型パソコンの裏
【図１】
2004335987.tif 000003
【図２】
2004335987.tif 000004
【図３】
2004335987.tif 000005